(57)【要約】  ネットワーク帯域幅部分の制限に関する情報をセルから受け取ったか否かを監視するステップと、該制限に関する情報を受け取った場合に、制限に関する情報及び端末帯域幅部分をサポートするための端末の能力に基づいて、端末がセルにキャンプオンするか否か、及び端末がセルを再選択するか否かのうちの少なくとも１つに関する決定を行うステップと、該決定に基づいて、該セルにキャンプオンすること及びセルを再選択することのうちの少なくとも１つに関して端末に指示するステップとを含む方法が提供される。【選択図】図４
2021503232.tif 000002
【特許請求の範囲】
【請求項１】
少なくとも１つのプロセッサと、コンピュータプログラムコードを含む少なくとも１つのメモリとを備える装置であって、前記少なくとも１つのプロセッサは、前記少なくとも１つのメモリ及び前記コンピュータプログラムコードを用いて、前記装置に対して、
ネットワーク帯域幅部分の制限に関する情報をセルから受け取ったか否かを監視するステップと、
前記制限に関する情報を受け取った場合に、前記制限に関する情報及び端末帯域幅部分をサポートするための端末の能力に基づいて、前記端末が前記セルにキャンプオンするか否か、及び前記端末が前記セルを再選択するか否かのうちの少なくとも１つに関する決定を行うステップと、
前記決定に基づいて、前記セルにキャンプオンすること及び前記セルを再選択することのうちの少なくとも１つに関して前記端末に指示するステップと、
を少なくとも実行させるように構成される、
ことを特徴とする装置。
【請求項２】
前記監視するステップは、
前記制限に関する前記情報をブロードキャストチャネル上で受け取ったか否かを監視するステップと、
前記制限に関する前記情報を前記端末への専用シグナリングで受け取ったか否かを監視するステップと
のうちの少なくとも１つを含む、請求項１に記載の装置。
【請求項３】
前記決定は、前記端末が前記セルにキャンプオンするか否かに関するものであり、前記少なくとも１つのプロセッサは更に、前記少なくとも１つのメモリ及び前記コンピュータプログラムコードを用いて、前記装置に、前記制限が前記端末の能力とマッチしない場合に、前記端末が前記セルにキャンプオンしないようにするステップを実行させるように構成される、請求項１又は２に記載の装置。
【請求項４】
前記少なくとも１つのプロセッサは更に、前記少なくとも１つのメモリ及び前記コンピュータプログラムコードを用いて、前記装置に、
前記端末帯域幅部分に関する優先順位を受け取ったか否かを管理するステップを実行させるように構成され、
前記決定は更に、前記端末帯域幅部分に関する前記優先順位を受け取った場合に、前記優先順位に基づく、
請求項１から３の何れかに記載の装置。
【請求項５】
前記少なくとも１つのプロセッサは更に、前記少なくとも１つのメモリ及び前記コンピュータプログラムコードを用いて、前記装置に、前記決定が前記セルにキャンプオンすることであるか、又は前記セルを再選択することである場合に、
前記制限に関する前記情報及び前記端末の能力に基づいて、複数のアクセスパラメータのうちの１つを選択するステップと、
前記アクセスパラメータの前記選択された１つを使用して、それぞれ、前記セルを再選択及び前記セルにキャンプオンするように前記端末に指示するステップと、
を実行させるように構成される、請求項１から４の何れかに記載の装置。
【請求項６】
前記少なくとも１つのプロセッサは更に、前記少なくとも１つのメモリ及び前記コンピュータプログラムコードを用いて、前記装置に、前記決定がセルにキャンプオンすることであるか、又は前記セルを再選択することである場合に、
前記制限に関する前記情報及び前記端末の能力に基づいて、複数のアクセスタイプのうちの１又は２以上を選択するステップと、
前記選択された１又は２以上のアクセスタイプに従って前記セルにアクセスするように前記端末に指示するステップと、
前記端末が、前記選択された１又は２以上のアクセスタイプと異なるアクセスタイプに従って前記セルにアクセスすることを禁止するステップと、
を実行させるように構成される、請求項１から５の何れかに記載の装置。
【請求項７】
前記少なくとも１つのプロセッサは更に、前記少なくとも１つのメモリ及び前記コンピュータプログラムコードを用いて、前記装置に、
前記端末が端末タイプに属するか否かをチェックするステップと、
前記端末が前記端末タイプに属さない場合に、前記制限に関する情報に基づいて前記決定を行うことを禁止するステップと、
を実行させるように構成される、請求項１から６の何れかに記載の装置。
【請求項８】
前記制限は、以下、すなわち、
アーリーデータ伝送に使用できるネットワーク帯域幅部分、
ＩＮＡＣＴＩＶＥモードでのデータ伝送に前記端末が使用できる帯域幅部分、
ＣＯＮＮＥＣＴＥＤモードでのデータ伝送に前記端末が使用できる帯域幅部分、
アクティブデータ転送に使用できる帯域幅部分、
制御プレーンメッセージ内にカプセル化されたデータを送るのに使用できる帯域幅部分、
超高信頼性低遅延通信伝送に使用できる帯域幅部分、
特定のＣＳＧの端末にのみ予約された帯域幅部分、
キャリアアグリゲーションのために使用できる帯域幅部分、
デュアル接続性のために使用できる帯域幅部分、及び
セル内のサポートされる帯域幅部分のセット、
のうちの少なくとも１つに関連する、請求項１から７の何れかに記載の装置。
【請求項９】
少なくとも１つのプロセッサと、コンピュータプログラムコードを含む少なくとも１つのメモリとを備える装置であって、前記少なくとも１つのプロセッサは、前記少なくとも１つのメモリ及び前記コンピュータプログラムコードを用いて、前記装置に、基地局によって提供されるネットワーク帯域幅部分の制限に関する情報を提供するように前記基地局に指示するステップを少なくとも実行させるように構成される、ことを特徴とする装置。
【請求項１０】
前記提供するステップは、
前記制限に関する前記情報をブロードキャストするステップと、
前記制限に関する前記情報を専用シグナリングで端末に提供するステップと、
のうちの少なくとも１つを含む、請求項９に記載の装置。
【請求項１１】
前記少なくとも１つのプロセッサは更に、前記少なくとも１つのメモリ及び前記コンピュータプログラムコードを用いて、前記装置に、１又は２以上の端末帯域幅部分の各々に関するそれぞれの優先順位を示すように前記基地局に指示するステップを実行させるように構成される、請求項９又は１０に記載の装置。
【請求項１２】
ネットワーク帯域幅部分の制限に関する情報をセルから受け取ったか否かを監視するステップと、
前記制限に関する情報を受け取った場合に、前記制限に関する情報及び端末帯域幅部分をサポートするための端末の能力に基づいて、前記端末が前記セルにキャンプオンするか否か、及び前記端末が前記セルを再選択するか否かのうちの少なくとも１つに関する決定を行うステップと、
前記決定に基づいて、前記セルにキャンプオンすること及び前記セルを再選択することのうちの少なくとも１つに関して前記端末に指示するステップと、
を含む方法。
【請求項１３】
前記監視するステップは、
前記制限に関する前記情報をブロードキャストチャネル上で受け取ったか否かを監視するステップと、
前記制限に関する前記情報を前記端末への専用シグナリングで受け取ったか否かを監視するステップと、
のうちの少なくとも１つを含む、請求項１２に記載の方法。
【請求項１４】
前記決定は、前記端末が前記セルにキャンプオンするか否かに関するものであり、前記方法は更に、
前記制限が前記端末の能力とマッチしない場合に、前記端末が前記セルにキャンプオンしないようにするステップを含む、請求項１２又は１３に記載の方法。
【請求項１５】
前記端末帯域幅部分に関する優先順位を受け取ったか否かを管理するステップを更に含み、
前記決定は更に、前記端末帯域幅部分に関する前記優先順位を受け取った場合に、前記優先順位に基づく、請求項１２から１４の何れかに記載の方法。
【請求項１６】
前記決定が前記セルにキャンプオンすることであるか、又は前記セルを再選択することである場合に、
前記制限に関する前記情報及び前記端末の能力に基づいて、複数のアクセスパラメータのうちの１つを選択するステップと、
前記アクセスパラメータの前記選択された１つを使用して、それぞれ、前記セルを再選択及び前記セルにキャンプオンするように前記端末に指示するステップと、
を更に含む、請求項１２から１５の何れかに記載の方法。
【請求項１７】
前記決定がセルにキャンプオンすることであるか、又は前記セルを再選択することである場合に、
前記制限に関する前記情報及び前記端末の能力に基づいて、複数のアクセスタイプのうちの１又は２以上を選択するステップと、
前記選択された１又は２以上のアクセスタイプに従って前記セルにアクセスするように前記端末に指示するステップと、
前記端末が、前記選択された１又は２以上のアクセスタイプと異なるアクセスタイプに従って前記セルにアクセスすることを禁止するステップと、
を更に含む、請求項１２から１６の何れかに記載の方法。
【請求項１８】
前記端末が端末タイプに属するか否かをチェックするステップと、
前記端末が前記端末タイプに属さない場合に、前記制限に関する前記情報に基づいて前記決定を行うことを禁止するステップと、
を更に含む、請求項１２から１７の何れかに記載の方法。
【請求項１９】
前記制限は、以下、すなわち、
アーリーデータ伝送に使用できるネットワーク帯域幅部分、
ＩＮＡＣＴＩＶＥモードでのデータ伝送に前記端末が使用できる帯域幅部分、
ＣＯＮＮＥＣＴＥＤモードでのデータ伝送に前記端末が使用できる帯域幅部分、
アクティブデータ転送に使用できる帯域幅部分、
制御プレーンメッセージ内にカプセル化されたデータを送るのに使用できる帯域幅部分、
超高信頼性低遅延通信伝送に使用できる帯域幅部分、
特定のＣＳＧの端末にのみ予約された帯域幅部分、
キャリアアグリゲーションのために使用できる帯域幅部分、
デュアル接続性のために使用できる帯域幅部分、及び
セル内のサポートされる帯域幅部分のセット、
のうちの少なくとも１つに関連する、請求項１２から１８の何れかに記載の方法。
【請求項２０】
基地局によって提供されるネットワーク帯域幅部分の制限に関する情報を提供するように前記基地局に指示するステップを含む方法。
【請求項２１】
前記提供するステップは、
前記制限に関する前記情報をブロードキャストするステップ、及び前記制限に関する前記情報を専用シグナリングで端末に提供するステップのうちの少なくとも１つを含む、請求項２０に記載の方法。
【請求項２２】
１又は２以上の端末帯域幅部分の各々に関するそれぞれの優先順位を示すように前記基地局に指示するステップを更に含む、請求項２０又は２１に記載の方法。
【請求項２３】
命令のセットを含むコンピュータプログラム製品であって、前記命令は、装置上で実行された場合に、前記装置に、請求項１２から２２の何れかに記載の方法を実行させるように構成される、ことを特徴とするコンピュータプログラム製品。
【請求項２４】
コンピュータ可読媒体として具現化されるか、又はコンピュータに直接ロード可能である請求項２３に記載のコンピュータプログラム製品。
【発明の詳細な説明】
【技術分野】
【０００１】
本発明は、帯域幅部分の処理、具体的にはＮＲにおける帯域幅部分の処理に関連する装置、方法、及びコンピュータプログラム製品に関する。
【０００２】
略語
３ＧＰＰ  第３世代パートナーシッププロジェクト
５Ｇ  第５世代
５ＧＣ  ５Ｇコアネットワーク
ＢＷＰ  帯域幅部分
ＣＮ  コアネットワーク
ＣＰ  制御プレーン
ＤＬ  ダウンリンク
ＥＤＴ  アーリーデータ伝送
ＥＰＣ  進化型パケットコア
ＦＤＭ  周波数分割多重化
ｇＮＢ  ５ＧノードＢ
ＩＯＴ  モノのインターネット
ＬＴＥ  ロングタームエボリューション
ＬＴＥ−Ａ  ＬＴＥアドバンスト
ＭＦ  マルチファイア
ＭＳＧ  メッセージ
ＮＡＳ  非アクセス層
ＮＲ  新無線
ＮＷ  ネットワーク
ＰＣｅｌｌ  プライマリセル
ＰＲＢ  物理リソースブロック
ＰＳＣｅｌｌ  プライマリＳＣｅｌｌ
ＲＡＣＨ  ランダムアクセスチャネル
Ｒｅｌ  リリース
ＲＲＣ  無線リソース制御
ＲＲＭ  無線リソース管理
ＳＣｅｌｌ  セカンダリセル
ＳＳ  同期信号
ＳＳＢ  ＳＳブロック
ＳＵＬ  セカンダリアップリンク
ＴＤＭ  時分割多重化
ＵＥ  ユーザ機器
ＵＬ  アップリンク
ＵＰ  ユーザプレーン
ＷＢ  広帯域
ＷｉＦｉ  ワイヤレスフィデリティ
【背景技術】
【０００３】
帯域幅部分は、ＵＬ／ＤＬにおいてＵＥをスケジューリングできるＰＲＢ（特定の周波数における特定の帯域幅を示す）の数として規定される。ＤＬの場合、使用されるＢＷＰはまた、ＵＥが測定を行うと予期される帯域幅にも影響する。また、各帯域幅部分は、異なるニューマロロジー（すなわち、サブキャリア間隔）を有することができる。ＢＷＰの幾つかの基本的な使用例が、図１及び図２に記載されている。ネットワーク（ＮＷ）帯域幅（ＢＷ）は、ネットワークによって（例えば、セルによって、ここでセルは、ネットワークを表すものとみなされる）提供される全帯域幅を指定する。
【０００４】
図１に示されているように、ネットワークは、異なるタイムスロットにおいてＵＥに対して異なるＢＷＰ（ＢＷＰ１、ＢＷＰ２）をスケジューリングして、例えば、ＮＷ  ＢＷを構成する広帯域（ＷＢ）キャリアへの負荷を適応させることができる。異なるＢＷＰは、異なる中心周波数であるが同じ帯域幅（ＰＲＢの数）を共有することができ（図１の左側）、又は異なる帯域幅を有することができる（図１の右側）。
【０００５】
図２に示されているように、ＢＷＰは、異なるタイムスロットで異なるニューマロロジーを有する場合がある。ＴＤＭ運用では、異なるニューマロロジーのＢＷＰが同じ帯域幅を占有する（図２の左側）が、一方で、ＦＤＭ運用では、異なるニューマロロジーのＢＷＰは、重複しない場合がある（図２の右側）。ネットワークの異なるセルが、異なるＢＷＰ（ＮＷ  ＢＷＰとも呼ばれる）を提供する場合がある。
【０００６】
従って、帯域幅部分（ＢＷＰ）は、ｇＮＢ帯域幅全体（ＮＷ  ＢＷＰとも呼ばれる）の一部分からなる。各ＵＥは、接続（ｃｏｎｎｅｃｔｅｄ）モードにおいてＵＬ／ＤＬセル帯域幅の潜在的に異なる部分を割り当てられる場合があり、これは、ＢＷＰと呼ばれる。ＮＲ  Ｒｅｌ−１５では、各サービングセルにて単一のアクティブなＢＷＰ（ＰＣｅｌｌ／ＳＣｅｌｌのＵＬ及びＤＬ両方の場合、ＵＬ及び／又はＤＬ）が存在することが合意されているが、ＵＥにおいて構成された１つより多いＢＷＰが存在することができ、現在アクティブなＢＷＰが、他の構成されたＢＷＰのうちの１つと切り替えることができる（すなわち、構成されている（但し非アクティブな）ＢＷＰがアクティブＢＷＰになり、以前アクティブだったＢＷＰが、構成されている（但し非アクティブな）ＢＷＰになる）ようになる。
【０００７】
以下の内容が、ＲＡＮ２において合意されている。
【０００８】
接続モードでのＢＷＰ運用の合意事項
１．ＣＯＮＮＥＣＴＥＤモードへのＢＷＰの影響は、１２月１７日までに進展することになる。ＩＤＬＥモード／ＩＮＡＣＴＩＶＥ（非アクティブ）モードＵＥへの影響は、１２月１７日後にＳＡで議論される。
２ａ．ＲＲＣシグナリングは、サービングセル（ＰＣｅｌｌ、ＰＳＣｅｌｌ）用の１又は２以上のＢＷＰ（ＤＬ  ＢＷＰ及びＵＬ  ＢＷＰの両方用）を構成するようにサポートする。
２ｂ．ＲＲＣシグナリングは、サービングセルＳＣｅｌｌ（少なくとも１つのＤＬ  ＢＷＰ）用の０、１又は２以上のＢＷＰ（ＤＬ  ＢＷＰ及びＵＬ  ＢＷＰの両方用）を構成するようにサポートする（ＳＵＬの影響は、依然として議論されることになる）。
３．ＵＥに関して、ＰＣｅｌｌ、ＰＳＣｅｌｌ、及び各ＳＣｅｌｌは、周波数において単一の関連ＳＳＢを有する（ＲＡＮ１の用語では、これは「セル規定ＳＳＢ」である）。
４．セル規定ＳＳＢブロックは、ＰＣｅｌｌ／ＰＳＣｅｌｌに対する同期再構成、及びＳＣｅｌｌに対するＳＣｅｌｌ解放／追加によって変更することができる。
５．ＵＥによって測定する必要がある各ＳＳブロック周波数は、個々の測定オブジェクトとして構成すべきである（すなわち、１つの測定オブジェクトは、単一のＳＳブロック周波数に対応する）。
６．セル規定ＳＳブロックは、サービングセルの時間基準とみなされ、ＳＳＢに基づくＲＲＭサービングセル測定値に関するものである（どのＢＷＰがアクティブになっているかにかかわらず）。
【０００９】
以下の論文は、ＩＤＬＥモードの処理に関する幾つかの記述を含む。
Ｒ２−１７１１３８７：「Ｉｍｐａｃｔｓ  ｏｆ  ＢＷＰ  ｆｏｒ  ＵＥ  ｉｎ  ＩＤＬＥ  ａｎｄ  ＩＮＡＣＴＩＶＥ（ＩＤＬＥ及びＩＮＡＣＴＩＶＥでのＵＥに対するＢＷＰの影響）」ＬＧ  Ｅｌｅｃｔｒｏｎｉｃｓ  Ｉｎｃ．（ＬＧエレクトロニクス社）、議論、Ｒｅｌ−１５、ＮＲ＿ｎｅｗＲＡＴ−Ｃｏｒｅ
Ｒ２−１７１０２１６：「Ｄｅｆｉｎｉｔｉｏｎ  ｏｆ  ｃｅｌｌｓ  ｆｏｒ  ｉｄｌｅ  ａｎｄ  ｃｏｎｎｅｃｔｅｄ  ＵＥｓ（アイドルであり接続されたＵＥに対するセルについての規定）」Ｈｕａｗｅｉ、ＨｉＳｉｌｉｃｏｎ、議論、Ｒｅｌ−１５、ＮＲ＿ｎｅｗＲＡＴ−Ｃｏｒｅ
【００１０】
５Ｇは、ＬＴＥ及びＬＴＥ−Ａから知られているＩＤＬＥ及びＣＯＮＮＥＣＴＥＤに加えて新しいモード、すなわち「ＩＮＡＣＴＩＶＥ」とも呼ばれる「ＲＲＣ−ＩＮＡＣＴＩＶＥ  ＣＯＮＮＥＣＴＥＤ」を導入している。ＵＥがＩＮＡＣＴＩＶＥモードに移行すると、ＵＥ及びＲＡＮの両方は、ＲＲＣ接続セットアップ中に得られた、ＵＥ能力及びセキュリティコンテキストなどのＵＥのＲＲＣ接続についてのコンテキスト情報を保持する。対照的に、ＩＤＬＥモードでは、コンテキスト情報は維持されず、ＵＥは、ＩＤＬＥからＣＯＮＮＥＣＴＥＤに移行するときに、ネットワークとの新しいコンテキスト情報を常に確立する必要がある。従って、データ伝送のためのＩＮＡＣＴＩＶＥからＣＯＮＮＥＣＴＥＤへの遷移は、ＩＤＬＥからＣＯＮＮＥＣＴＥＤへの遷移と比較して低負荷である（すなわち、より高速であり、より少ないシグナリングを必要とする）。
【００１１】
ＲＲＣ−ＩＮＡＣＴＩＶＥ接続モードでは、ＵＥは、ＣＮ−ＣＯＮＮＥＣＴＥＤであり、すなわち、ＣＮは、ＵＥが接続（ｃｏｎｎｅｃｔｅｄ）モードにあるとみなす。従って、ＵＥへのＤＬトラフィックが到着すると、ＣＮは、単純にこのトラフィックをＲＡＮに転送する。次に、ＲＡＮは、ＵＥに対するページング（「ＲＡＮページング」と呼ばれる）をトリガーして、セルレベルでのＵＥの位置を特定し、ＵＥがこのページングに応答すると、ＲＡＮは、データをＵＥに転送する。
【００１２】
ＩＤＬＥモード及びＩＮＡＣＴＩＶＥモードの両方において、ＵＥは、セルにキャンプオンしてページング信号をリッスンし、セルの再選択及びシステム情報の受け取りのような他の関連手順を行う。ＵＥが移動する場合に、ＵＥは、具体的には関与するセルの信号強度に応じて、別のセルを再選択してそのセルにキャンプオンすることができる（すなわち、ＵＥは、現在のサービングセルからブロードキャストされた再選択情報に従って、指定されたセル再選択ルールに従う）。ＩＤＬＥモード及びＩＮＡＣＴＩＶＥモードの両方において、セル再選択は、ＵＥによって制御され、セルブロードキャストからの再選択情報によって間接的にのみ影響を受ける。
【００１３】
より詳細な情報は、Ｊ．Ｋｉｍ他による「５Ｇ移動通信システムに関する３ＧＰＰ  ＳＡ２アーキテクチャ及び機能」ＩＣＴ  Ｅｘｐｒｅｓｓ  ３（２０１７年）１−８頁において入手できる。
【発明の概要】
【発明が解決しようとする課題】
【００１４】
本発明の目的は、従来技術を改良することである。
【課題を解決するための手段】
【００１５】
本発明の第１の態様によれば、少なくとも１つのプロセッサと、コンピュータプログラムコードを含む少なくとも１つのメモリとを備える装置が提供され、該少なくとも１つのプロセッサは、該少なくとも１つのメモリ及びコンピュータプログラムコードを用いて、該装置に対して、ネットワーク帯域幅部分の制限に関する情報をセルから受け取ったか否かを監視するステップと、制限に関する情報を受け取った場合に、該制限に関する情報及び端末帯域幅部分をサポートするための端末の能力に基づいて、端末がセルにキャンプオンするか否か、及び端末がセルを再選択するか否かのうちの少なくとも１つに関する決定を行うステップと、該決定に基づいて、該セルにキャンプオンすること及びセルを再選択することのうちの少なくとも１つに関して端末に指示するステップ、とを少なくとも実行させるように構成される。
【００１６】
監視するステップは、制限に関する情報をブロードキャストチャネル上で受け取ったか否かを監視するステップ、及び該制限に関する情報を端末への専用シグナリングで受け取ったか否かを監視するステップのうちの少なくとも１つを含むことができる。
【００１７】
決定は、端末がセルにキャンプオンするか否かに関するものとすることができ、少なくとも１つのプロセッサは更に、少なくとも１つのメモリ及びコンピュータプログラムコードを用いて、制限が端末の能力とマッチしない場合に、端末がセルにキャンプオンしないようにするステップを装置に実行させるように構成することができる。
【００１８】
少なくとも１つのプロセッサは更に、少なくとも１つのメモリ及びコンピュータプログラムコードを用いて、装置に、端末帯域幅部分に関する優先順位を受け取ったか否かを管理するステップを実行させるように構成することができ、決定は更に、該端末帯域幅部分に関する優先順位を受け取った場合に、該優先順位に基づくことができる。
【００１９】
少なくとも１つのプロセッサは更に、少なくとも１つのメモリ及びコンピュータプログラムコードを用いて、装置に、決定がセルにキャンプオンすることであるか、又はセルを再選択することである場合に、制限に関する情報及び端末の能力に基づいて、複数のアクセスパラメータのうちの１つを選択するステップと、該アクセスパラメータの選択された１つを使用して、それぞれ、セルを再選択する及びセルにキャンプオンするように端末に指示するステップとを実行させるように構成することができる。
【００２０】
少なくとも１つのプロセッサは更に、少なくとも１つのメモリ及びコンピュータプログラムコードを用いて、装置に、決定がセルにキャンプオンすることであるか、又はセルを再選択することである場合に、制限に関する情報及び端末の能力に基づいて、複数のアクセスタイプのうちの１又は２以上を選択するステップと、選択された１又は２以上のアクセスタイプに従ってセルにアクセスするように端末に指示するステップと、端末が、選択された１又は２以上のアクセスタイプと異なるアクセスタイプに従ってセルにアクセスすることを禁止するステップとを実行させるように構成することができる。
【００２１】
少なくとも１つのプロセッサは更に、少なくとも１つのメモリ及びコンピュータプログラムコードを用いて、装置に、端末が端末タイプに属するか否かをチェックするステップと、端末が該端末タイプに属さない場合に、制限に関する情報に基づいて決定を行うことを禁止するステップとを実行させるように構成することができる。
【００２２】
制限は、以下、すなわち、
−アーリーデータ伝送に使用できるネットワーク帯域幅部分、
−ＩＮＡＣＴＩＶＥモードでのデータ伝送に端末が使用できる帯域幅部分、
−ＣＯＮＮＥＣＴＥＤモードでのデータ伝送に端末が使用できる帯域幅部分、
−アクティブデータ転送に使用できる帯域幅部分、
−制御プレーンメッセージ内にカプセル化されたデータを送るのに使用できる帯域幅部分、
−超高信頼性低遅延通信伝送に使用できる帯域幅部分、
−特定のＣＳＧの端末にのみ予約された帯域幅部分、
−キャリアアグリゲーションのために使用できる帯域幅部分、
−デュアル接続性のために使用できる帯域幅部分、及び
−セル内のサポートされる帯域幅部分のセット、
のうちの少なくとも１つに関連することができる。
【００２３】
本発明の第２の態様によれば、少なくとも１つのプロセッサと、コンピュータプログラムコードを含む少なくとも１つのメモリとを備える装置が提供され、該少なくとも１つのプロセッサは、該少なくとも１つのメモリ及びコンピュータプログラムコードを用いて、該装置に、少なくとも、基地局によって提供されるネットワーク帯域幅部分の制限に関する情報を提供するように基地局に指示するステップを実行させるように構成される。
【００２４】
該提供するステップは、該制限に関する情報をブロードキャストするステップ、及び制限に関する情報を専用シグナリングで端末に提供するステップのうちの少なくとも１つを含むことができる。
【００２５】
少なくとも１つのプロセッサは更に、少なくとも１つのメモリ及びコンピュータプログラムコードを用いて、該装置に、１又は２以上の端末帯域幅部分の各々に関するそれぞれの優先順位を示すように基地局に指示するステップを実行させるように構成することができる。
【００２６】
本発明の第３の態様によれば、方法が提供され、該方法は、ネットワーク帯域幅部分の制限に関する情報をセルから受け取ったか否かを監視するステップと、該制限に関する情報を受け取った場合に、制限に関する情報及び端末帯域幅部分をサポートするための端末の能力に基づいて、端末がセルにキャンプオンするか否か、及び端末がセルを再選択するか否かのうちの少なくとも１つに関する決定を行うステップと、該決定に基づいて、該セルにキャンプオンすること及びセルを再選択することのうちの少なくとも１つに関して端末に指示するステップとを含む。
【００２７】
監視するステップは、制限に関する情報をブロードキャストチャネル上で受け取ったか否かを監視するステップ、及び制限に関する情報を端末への専用シグナリングで受け取ったか否かを監視するステップのうちの少なくとも１つを含むことができる。
【００２８】
決定は、端末がセルにキャンプオンするか否かに関するものとすることができ、本方法は更に、制限が端末の能力とマッチしない場合に、該端末がセルにキャンプオンしないようにするステップを含むことができる。
【００２９】
本方法は更に、端末帯域幅部分に関する優先順位を受け取ったか否かを管理するステップを含むことができ、決定は更に、端末帯域幅部分に関する優先順位を受け取った場合に、該優先順位に基づくことができる。
【００３０】
本方法は更に、決定がセルにキャンプオンすることであるか、又はセルを再選択することである場合に、制限に関する情報及び端末の能力に基づいて、複数のアクセスパラメータのうちの１又は２以上を選択するステップと、アクセスパラメータの選択された１つを使用して、それぞれ、セルを再選択する及びセルにキャンプオンするように端末に指示するステップとを含むことができる。
【００３１】
本方法は更に、決定がセルにキャンプオンすることであるか、又はセルを再選択することである場合に、制限に関する情報及び端末の能力に基づいて、複数のアクセスタイプのうちの１又は２以上を選択するステップと、選択された１又は２以上のアクセスタイプに従ってセルにアクセスするように端末に指示するステップと、端末が、選択された１又は２以上のアクセスタイプと異なるアクセスタイプに従ってセルにアクセスすることを禁止するステップと、を含むことができる。
【００３２】
本方法は更に、端末が端末タイプに属するか否かをチェックするステップと、端末が該端末タイプに属さない場合に、制限に関する情報に基づいて決定を行うことを禁止するステップと、を含むことができる。
【００３３】
制限は、以下、すなわち、
−アーリーデータ伝送に使用できるネットワーク帯域幅部分、
−ＩＮＡＣＴＩＶＥモードでのデータ伝送に端末が使用できる帯域幅部分、
−ＣＯＮＮＥＣＴＥＤモードでのデータ伝送に端末が使用できる帯域幅部分、
−アクティブデータ転送に使用できる帯域幅部分、
−制御プレーンメッセージ内にカプセル化されたデータを送るのに使用できる帯域幅部分、
−超高信頼性低遅延通信伝送に使用できる帯域幅部分、
−特定のＣＳＧの端末にのみ予約された帯域幅部分、
−キャリアアグリゲーションのために使用できる帯域幅部分、
−デュアル接続性のために使用できる帯域幅部分、及び
−セル内のサポートされる帯域幅部分のセット、
のうちの少なくとも１つに関連することができる。
【００３４】
本発明の第４の態様によれば、方法が提供され、該方法は、基地局によって提供されるネットワーク帯域幅部分の制限に関する情報を提供するように基地局に指示するステップを含む。
【００３５】
提供するステップは、該制限に関する情報をブロードキャストするステップ、及び制限に関する情報を専用シグナリングで端末に提供するステップのうちの少なくとも１つを含むことができる。
【００３６】
本方法は更に、１又は２以上の端末帯域幅部分の各々に関するそれぞれの優先順位を示すように基地局に指示するステップを含むことができる。
【００３７】
第３及び第４の態様の方法の各々は、帯域幅部分処理の方法とすることができる。
【００３８】
本発明の第５の態様によれば、命令のセットを含むコンピュータプログラム製品が提供され、該命令は、装置上で実行された場合に、該装置に、第３及び第４の態様の何れかによる方法を実行させるように構成される。該コンピュータプログラム製品は、コンピュータ可読媒体として具現化すること、又はコンピュータに直接ロードすることができる。
【００３９】
本発明の幾つかの実施形態によれば、以下の利点、すなわち、
・ＢＷＰがＩＤＬＥモード及びＩＮＡＣＴＩＶＥモードの両方で動作すること、
・ＮＷとＵＥとの間のＢＷＰの不整合に起因してＵＬ／ＤＬメッセージが失われることがないこと、
・ＢＷＰが、ＩＤＬＥモード又はＩＮＡＣＴＩＶＥモードでさえＵＥの挙動をある程度制御するのに使用できること、
・ＮＷが、ＵＥがサポートしているＢＷＰをサポートしていない場合に、ＵＥが不必要な接続確立を開始しないこと、
・不必要なシグナリングが回避されること、
・ＵＥバッテリが節約されること、
のうちの少なくとも１つを達成することができる。
【００４０】
上記の修正形態の何れもが、それらが代替例を除外するものとして明示的に述べられていない限り、それらが言及するそれぞれの態様に単独で又は組み合わせて適用できることを理解されたい。
【００４１】
更なる詳細、特徴、目的、及び利点は、添付図面と併せて解釈される本発明の好ましい実施形態の以下の詳細な説明から明らかである。
【図面の簡単な説明】
【００４２】
【図１】ＢＷＰに関する２つの基本的な使用例を示す。
【図２】ＢＷＰに関する別の２つの基本的な使用例を示す。
【図３】本発明の一実施形態による装置を示す。
【図４】本発明の一実施形態による方法を示す。
【図５】本発明の一実施形態による装置を示す。
【図６】本発明の一実施形態による方法を示す。
【図７】本発明の一実施形態による装置を示す。
【発明を実施するための形態】
【００４３】
以下の本明細書では、本発明の特定の実施形態について添付図面を参照して詳細に説明し、これらの実施形態の特徴は、別途記載のない限り、互いに自由に組み合わせることができる。しかしながら、特定の実施形態の説明は、単に例として与えられており、開示する詳細に本発明を限定するものとして理解されることは決して意図されていないことを明確に理解されたい。
【００４４】
更に、場合によっては、装置のみ又は方法のみが説明されるが、装置は、対応する方法を実行するように構成されることを理解されたい。
【００４５】
本発明は、主として、ＩＤＬＥ及びＩＮＡＣＴＩＶＥモードでのＢＷＰ処理に焦点を合わせている。
【００４６】
ＵＷ及びＮＷの両方がサポートする幾つかの最小ＢＷが存在することが予期されるが、実際には、ＮＷは、ＵＥがサポートするものと比較して異なる最小帯域幅をサポートする場合がある。例えば、ＵＥは、５ＭＨｚのみをサポートし、ＮＷは、例えば、スケジューラがより低い帯域幅選択肢を実装していないことにより、２０ＭＨｚのみをサポートする場合がある。加えて、異なるＢＷＰサイズが、異なる目的で使用でき、例えば、非常に低いＢＷ対応のＵＥは、ｇＮＢ  ＢＷの１つの部分（ＮＷ  ＢＷ）でサービスを受け、「標準的」ＵＥは、ｇＮＢ  ＢＷの異なる部分で（又はＮＷ  ＢＷ全体でさえ）サービスを受ける場合がある。従って、ＵＥが、ＩＤＬＥ又はＩＮＡＣＴＩＶＥにおいてどのようにして異なるＢＷＰに誘導され得るか、又は更に、ＵＥが、そのＵＥでサポートされているものと異なる最小ＢＷを有するセルにキャンプオンすることをどのようにして防止できるかは、明確でない。
【００４７】
ＵＥは、データ伝送に様々な帯域幅を使用する場合があり、ネットワークに向けてデータを送信するための様々な機構が存在する場合がある。典型的に、ＵＥは、データを送信するのにユーザプレーン、すなわち、ＵＥとネットワークとの間で確立される通信を使用し、この通信は、ＵＥとネットワークとの間で暗黙的又は明示的にスケジューリングされ構成されたリソースを利用する。しかしながら、或る特定の事例では、制御プレーンが、データを送信するのに使用される場合もあり、この制御プレーンは、典型的に、ＵＥとネットワークとの間のデータ伝送をセットアップするのに使用される。具体的には、データ伝送は、例えば、ＵＥとネットワークとの間でＮＡＳ情報を交換するのに通常使用されるシグナリングプロトコル、又はＵＥとネットワークとの間でＲＲＣ接続を確立するのに使用されるシグナリングメッセージを利用する場合がある。これらの選択肢は、データ転送用の「制御プレーン」又は「アーリーデータ伝送」最適化と呼ばれることがあり、典型的に、ＵＥとネットワークとの間で少量のデータのみを転送する必要がある場合に使用されることを想定されている。
【００４８】
本発明の幾つかの実施形態によれば、ネットワークは、そのＢＷＰ制限情報を全てのＵＥにブロードキャストして、ＩＤＬＥ又はＩＮＡＣＴＩＶＥモード動作を支援する。この情報は、ＵＥのＩＤＬＥ又はＩＮＡＣＴＩＶＥモードセル選択／再選択基準に影響を与えて、セルのＢＷをサポートしていないＵＥが、ＢＷＰの不整合によりこれらのＵＥがサービスを得ることができないセルにキャンプオンしないようにすることができる。更に、ＵＥのセルアクセスは、ＮＷ及びＵＥによってサポートされるＢＷの量に依存することができる。
【００４９】
本発明の幾つかの態様は、以下を含む。
−ＮＷは、ＤＬ及び／又はＵＬ動作用のＮＷのＢＷＰ制限に関する情報（例えば、最小及び／又は最大のＮＷ  ＢＷＰサイズ）をブロードキャスト（広告）する。
−ＵＥは、ＢＷＰ制限に関する情報を受け取る。
ＵＥは、例えば以下のように、この情報を考慮に入れることができる。
・セルにキャンプオンする基準に関して、ＵＥでサポートされるＢＷＰ（ＵＥ  ＢＷＰ制限）が、広告されたＮＷ  ＢＷＰ制限（例えば、最小／最大ＢＷ）を満たさない場合に、セルは適切でない。すなわち、好ましくは、ＢＷＰ制限に関するＵＥの能力は、ＮＷ  ＢＷＰに関する制限と同じである。幾つかの実施形態では、セルは、ＤＬにおいて、ＮＷ  ＢＷＰがＵＥ  ＢＷＰより小さく、ＵＬにおいて、ＮＷ  ＢＷＰがＵＥ  ＢＷＰより大きい場合に、選択され得る。従って、異なるサイズのＢＷＰが原因で送信が失われないことが保証される。
・セル再選択基準に関して、ＵＥは、特定のタイプのＢＷＰをサポートするセル／キャリアを優先することができる。このような優先順位付けは、事前に規定することができ、又はネットワークが、優先順位を提供することができる。
事前に規定された優先順位の例として、ＵＥはまた、このＵＥがサポートする帯域幅部分のサイズを正確にサポートするセルを優先することもできる。すなわち、帯域幅部分のサイズが、ＵＥのものを超過する（アップリンクにおいて）か、又はＵＥのものよりも小さい（ダウンリンクにおいて）セルは、実現可能ではあるが、好ましくない。このような実施形態では、ＵＥは、広告されたＮＷ  ＢＷＰ制限に基づいて、優先順位を暗黙的に構築する。これらの実施形態では、ＮＷは、優先順位を明示的に送信する必要がない。
ＮＷは、ＢＷＰがＵＥのセル再選択優先順位に影響を与えるための異なる能力を有するＵＥに対して異なる優先順位を示すことができ、ＵＥでサポートされる特定のＢＷＰ（端末帯域幅部分とも呼ばれる）の優先順位は、ネットワークのセルが異なる場合に異なること又は同じであることができる。
優先順位は更に、ＵＥのカテゴリに依存することができ、例えば、異なるＣＮ（ＥＰＣ／ＭＦ）に登録されたＵＥは、異なる再選択パラメータを使用して、異なるＵＥが異なるセルを再選択することができるようにする（例えば、或る特定のＵＥを更に、このようなＵＥをより効率的に処理できる特定の周波数帯域に向けるように誘導するため）。
ＮＷは、システム情報において又は専用シグナリングを介して、ＲＲＣ接続解放の最後でＵＥに与えられＩＤＬＥ又はＩＮＡＣＴＩＶＥ状態でＵＥによって使用される優先順位を示すことができる。ＮＷは、ＢＷＰ制限に関する情報とともに、或いは別個のブロードキャストメッセージ又はＵＥへの専用シグナリングにおいて、優先順位を示すことができる。
・また、セルアクセスパラメータは、許可されたアクセス帯域幅に従ってグループ化することもできる。
例えば、制限されたＢＷをサポートするＵＥは、より広いＢＷをサポートするＵＥと異なるアクセスリソースを利用することができる。
また、異なるネットワークスライスをサポートするＵＥは、セル内で特定のＢＷを必要とするように指示されて、特定のネットワークスライスに従って接続を試みるＵＥが、アクセスパラメータの異なるセットに従ってアクセスを行うことができるようになる。
ＮＷは、ブロードキャストシグナリング又は専用シグナリングを介して、グループ化に関してＵＥに通知する。
・広告されたＮＷ  ＢＷＰの制限に応じて、ＵＥは、セルにキャンプオンすることを許可され得るが、特定のタイプのアクセスのみが許可される。
アーリーデータ伝送（ＥＤＴ）、例えば、ＲＡＣＨ  ＭＳＧ３及びＭＳＧ４内のデータ伝送を許可することができる。
ＣＰメッセージ内にカプセル化されたデータを許可することができる。
シグナリングは、ＮＡＳシグナリング又はＲＲＣシグナリングによって許可することができる。
事前に規定されたアクセスタイプは、例えば、低／高優先度データなどとすることができる。
【００５０】
本発明の幾つかの実施形態では、特定のタイプのＵＥのみが、ＮＷ  ＢＷＰ制限に関する情報を考慮に入れることができる。例えば、「標準的」ＵＥのみが、ＮＷ  ＢＷＰ制限を考慮に入れることができるが、ＩＯＴデバイス（例えば「標準的」のＵＥよりも小さいＢＷをサポートすることができる）はそうでない。別の例として、特定のネットワークスライスをサポートするＵＥのみが、何らかのスライス特有のＢＷＰを含むスライス特有のリソースを利用することができる。
【００５１】
最小／最大ＢＷＰに加えて、又はその代わりに、ＮＷは、例えば、以下、すなわち、
・ＥＤＴ  ＢＷＰ（すなわち、ＥＤＴのために使用されるＢＷＰ）
・ＲＲＣ  ＩＮＡＣＴＩＶＥ  ＢＷＰ（すなわち、ＩＮＡＣＴＩＶＥで使用されるＢＷＰ）
・ＲＲＣ  ＣＯＮＮＥＣＴＥＤ  ＢＷＰ（すなわち、ＣＯＮＮＥＣＴＥＤでＵＥによって使用されるＢＷＰ）
・データ転送ＢＷＰ（すなわち、アクティブなデータ転送に使用されるＢＷＰ）
・制御プレーン上のデータＢＷＰ（すなわち、制御プレーンメッセージ内にカプセル化されたデータを送るのに使用されるＢＷＰ）
・超高信頼性低遅延伝送（ＵＲＬＬＣ）ＢＷＰ（すなわち、ＵＲＬＬＣ伝送のために使用されるＢＷＰ）
・限定加入者グループ（ＣＳＧ）ＢＷＰ（すなわち、特定のＣＳＧを利用するＵＥに対してのみ予約されたＢＷＰ）
・キャリアアグリゲーションＢＷＰ（すなわち、ＣＡのために使用されるＢＷＰ）
・デュアル接続性ＢＷＰ（すなわち、ＤＣのために使用されるＢＷＰ）
・セルでサポートされるＢＷＰのセット（例えば、セルで使用される全てのＢＷＰ）
うちの１つを信号で伝えることができる。
【００５２】
ＵＥは、それぞれの特定の事例の場合にキャンプオンすること及び／又はセル再選択を決定するときに、ＢＷＰに関するこの情報を考慮に入れることができる。
【００５３】
本発明の幾つかの実施形態では、ＮＷ  ＢＷＰ制限に関する情報は、ＩＤＬＥ／ＩＮＡＣＴＩＶＥモードで使用されるように、ＵＥがＣＯＮＮＥＣＴＥＤモードにある間（例えば、ＣＯＮＮＥＣＴＥＤモードからＩＤＬＥ／ＩＮＡＣＴＩＶＥモードへの遷移中）に、ＩＤＬＥ又はＩＮＡＣＴＩＶＥモード使用に関して専用シグナリングを使用して広告することができる。
【００５４】
表１は、ＩＤＬＥ／ＩＮＡＣＴＩＶＥモードでのＢＷＰ処理に関するシグナリング例を提示するものである。ステップ７において、ＵＥは、ＩＤＬＥモードにあり、従って、このＵＥにサービスを提供できないセルにキャンプオンすることは意味がないため、データ転送に関するＮＷ  ＢＷＰ制限が関係することに留意されたい。
【００５５】
一方、ステップ１４において、ＵＥは、ＩＮＡＣＴＩＶＥモードにあり（ステップ１２を参照）、従って、ＩＮＡＣＴＩＶＥモードに関するＮＷ  ＢＷＰ制限が関係する。ＩＮＡＣＴＩＶＥモードでは、ＩＮＡＣＴＩＶＥ  ＢＷＰが、ＩＮＡＣＴＩＶＥ状態でのデータ伝送、すなわち、ランダムアクセスメッセージ３及び４でのデータ伝送に使用することができる。メッセージ３は、アップリンクでのデータ伝送に使用でき、メッセージ４は、ダウンリンクでのデータ伝送に使用することができる。データ転送ＢＷＰは、接続（ｃｏｎｎｅｃｔｅｄ）モードで使用される。
【００５６】
一方、ＣＯＮＮＥＣＴＥＤモードでは、ダウンリンクでのデータ伝送に関するＵＥ及びセル５のＢＷＰ制限がマッチしないため、ＵＥは、セル５においてＣＯＮＮＥＣＴＥＤモードに移行することができない。
【００５７】
表１：本発明の一実施形態によるシグナリング例
2021503232.tif 000003
2021503232.tif 000004
2021503232.tif 000005
【００５８】
図３は、本発明の一実施形態による装置を示している。本装置は、ＵＥ、ＩｏＴデバイス、ＭＴＣデバイス、又はそれらの要素などの端末とすることができる。図４は、本発明の一実施形態による方法を示している。図３による装置は、図４の方法を実行することができるが、この方法に限定されるものではない。図４の方法は、図３の装置によって実行できるが、この装置によって実行されることに限定されるものではない。
【００５９】
装置は、監視手段１０、決定手段２０、及び指示手段３０を備える。監視手段１０、決定手段２０、及び指示手段３０の各々は、それぞれ、モニタ、決定器、及び指示器とすることもできる。監視手段１０、決定手段２０、及び指示手段３０の各々は、それぞれ、監視プロセッサ、決定プロセッサ、及び指示プロセッサとすることもできる。
【００６０】
監視手段１０は、ネットワーク帯域幅部分の制限に関する情報をセルから受け取ったか否かを監視する（Ｓ１０）。
【００６１】
制限に関する情報を受け取った場合（Ｓ１０＝「ｙｅｓ」）、決定手段２０は、この制限に関する情報及び端末帯域幅部分をサポートするための端末の能力に基づいて決定を行う（Ｓ２０）。この決定は、端末がセルにキャンプオンするか否か、及び端末がセルを再選択するか否かのうちの少なくとも１つに関するものである。
【００６２】
指示手段３０は、この決定に基づいて、セルにキャンプオンすること及びセルを再選択することのうちの少なくとも１つに関して端末に指示する（Ｓ３０）。
【００６３】
図５は、本発明の一実施形態による装置を示している。本装置は、ｇＮＢ、ｅＮＢ、もしくはＮＢなどの基地局、又はそれらの要素とすることができる。図６は、本発明の一実施形態による方法を示している。図５による装置は、図６の方法を実行することができるが、この方法に限定されるものではない。図６の方法は、図５の装置によって実行できるが、この装置によって実行されることに限定されるものではない。
【００６４】
装置は、指示手段１１０を備える。指示手段１１０は、指示器とすることもできる。指示手段１１０は、指示プロセッサとすることもできる。
【００６５】
指示手段１１０は、基地局によって提供されるネットワーク帯域幅部分の制限に関する情報を提供するように基地局に指示する（Ｓ１１０）。
【００６６】
図７は、本発明の一実施形態による装置を示している。本装置は、少なくとも１つのプロセッサ４１０と、コンピュータプログラムコードを含む少なくとも１つのメモリ４２０とを備え、この少なくとも１つのプロセッサ４１０は、少なくとも１つのメモリ４２０及びコンピュータプログラムコードを用いて、この装置に、図４及び図６による方法のうちの少なくとも１つを実行させるように構成される。
【００６７】
本発明の実施形態は、ＵＥに関して説明される。ＵＥは、特定の種類の端末である。他の端末が、本発明の実施形態に属することができる。例えば、本発明の実施形態が実施される端末は、ＩｏＴデバイス、ＭＴＣデバイス、ラップトップ、タブレット、スマートフォン、携帯電話機などとすることができる。
【００６８】
本発明の幾つかの実施形態は、３ＧＰＰデバイスに採用することができる。しかしながら、本発明の実施形態は、３ＧＰＰデバイスに限定されるものではない。例えば、本発明の実施形態は、この実施形態が帯域幅部分に対応する機能を提供する場合に、ＷｉＦｉなどの他の無線又は有線通信システムに採用することができる。
【００６９】
本発明の幾つかの実施形態は、ＵＥアプリケーションとして具現化される。しかしながら、これらの実施形態は、異なったように具現化でき、例えば、ＵＥに組み込むことができるチップ上にハードコードすることができる。
【００７０】
情報の１つの要素は、１つのエンティティから別のエンティティに１つ又は複数のメッセージで送信することができる。これらのメッセージの各々は、更に別の（異なる）情報要素を含むことができる。
【００７１】
ネットワーク要素、プロトコル、及び方法の名称は、現行の基準に基づく。他のバージョン又は他の技術では、これらのネットワーク要素及び／又はプロトコル及び／又は方法の名称は、それらが対応機能を提供する限り、異なることができる。
【００７２】
別途記載がない限り、又は文脈から明らかでない限り、２つのエンティティが異なるという記載は、これらのエンティティが異なる機能を実行することを意味する。このことは、必ずしも、これらのエンティティが異なるハードウェアに基づくことを意味するものではない。すなわち、本明細書に記載されたエンティティの各々は、異なるハードウェアに基づくことができ、又はエンティティの一部もしくは全部は、同じハードウェアに基づくことができる。このことは、必ずしも、これらのエンティティが異なるソフトウェアに基づくことを意味するものではない。すなわち、本明細書に記載されたエンティティの各々は、異なるソフトウェアに基づくことができ、又はエンティティの一部もしくは全部は、同じソフトウェアに基づくことができる。本明細書に記載されたエンティティの各々は、クラウド内で具現化することができる。
【００７３】
従って、上記の説明によると、本発明の例示的な実施形態は、例えば、ＵＥ、ＩｏＴデバイス、ＭＴＣデバイスなど、又はそれらの構成要素などの端末、これらを具現化する装置、これらを制御及び／又は動作させる方法、これらを制御及び／又は動作させるコンピュータプログラム、並びに、このようなコンピュータプログラムを保持し、コンピュータプログラム製品を形成する媒体を提供することが明らかであろう。従って、上記の説明によると、本発明の例示的な実施形態は、例えば、ＮｏｄｅＢ、ｅＮｏｄｅＢ、又はｇＮｏｄｅＢ、又はそれらの組み合わせなどの基地局、これらを具現化する装置、これらを制御及び／又は動作させる方法、これらを制御及び／又は動作させるコンピュータプログラム、並びに、このようなコンピュータプログラムを保持し、コンピュータプログラム製品を形成する媒体を提供することが明らかであろう。
【００７４】
上述のブロック、装置、システム、技法又は方法の何れかの実装形態は、非限定的な例として、ハードウェア、ソフトウェア、ファームウェア、専用回路又はロジック、汎用ハードウェア又はコントローラ又は他のコンピューティングデバイス、又はこれらの幾つかの組み合わせとしての実装形態を含む。
【００７５】
上述の内容は、現在のところ本発明の好ましい実施形態とみなされているものであることを理解されたい。しかしながら、好ましい実施形態の説明は、単に例として与えられており、添付の特許請求の範囲によって規定される本発明の範囲から逸脱することなく、様々な修正が行われ得ることに留意されたい。
【図１】
2021503232.tif 000006
【図２】
2021503232.tif 000007
【図３】
2021503232.tif 000008
【図４】
2021503232.tif 000009
【図５】
2021503232.tif 000010
【図６】
2021503232.tif 000011
【図７】
2021503232.tif 000012
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
少なくとも１つのプロセッサと、コンピュータプログラムコードを含む少なくとも１つのメモリとを備える装置であって、前記少なくとも１つのプロセッサは、前記少なくとも１つのメモリ及び前記コンピュータプログラムコードを用いて、前記装置に対して、
基地局から、前記基地局のセルでサポートされる１又は２以上の帯域幅部分の制限に関する情報を受け取るステップと、
前記セルでサポートされる１又は２以上の帯域幅部分の制限、及び前記装置でサポートされる１又は２以上の帯域幅部分の制限に基づいて、前記セルへのアクセスを禁止するステップと、
を少なくとも行わせるように構成され、
各帯域幅部分は、サブキャリア間隔に特有である、
ことを特徴とする装置。
【請求項２】
前記少なくとも１つのプロセッサは、前記少なくとも１つのメモリ及び前記コンピュータプログラムコードを用いて、前記装置に、
前記セルでサポートされる１又は２以上の帯域幅部分の制限に関する前記情報をブロードキャストチャネル上で受け取ったか、又は前記装置への専用シグナリングで受け取ったか否かを監視するステップを行わせる、請求項１に記載の装置。
【請求項３】
前記少なくとも１つのプロセッサは、前記少なくとも１つのメモリ及び前記コンピュータプログラムコードを用いて、前記装置に、
前記セルでサポートされる１又は２以上の帯域幅部分の制限が前記装置でサポートされる１又は２以上の帯域幅部分の制限とマッチしない場合に、前記装置が前記セルにキャンプオンしないようにするステップを行わせるように構成される、請求項１又は２に記載の装置。
【請求項４】
前記少なくとも１つのプロセッサは、前記少なくとも１つのメモリ及び前記コンピュータプログラムコードを用いて、前記装置に、
前記装置でサポートされる１又は２以上の帯域幅部分に関する優先順位に基づいて前記セルへのアクセスを禁止するステップを行わせるように構成される、
請求項１から３の何れかに記載の装置。
【請求項５】
前記少なくとも１つのプロセッサは、前記少なくとも１つのメモリ及び前記コンピュータプログラムコードを用いて、前記装置に、
前記セルでサポートされる１又は２以上の帯域幅部分の制限、及び前記装置でサポートされる１又は２以上の帯域幅部分の制限に関する前記情報に基づいて、アクセスパラメータを選択するステップと、
前記選択されたアクセスパラメータを使用して、前記セルを再選択するか、前記セルにキャンプオンするように前記装置に指示するステップと、
を行わせるように構成される、請求項１から４の何れかに記載の装置。
【請求項６】
前記少なくとも１つのプロセッサは、前記少なくとも１つのメモリ及び前記コンピュータプログラムコードを用いて、前記装置に、
前記セルでサポートされる１又は２以上の帯域幅部分の制限、及び前記装置でサポートされる１又は２以上の帯域幅部分の制限に関する前記情報に基づいて、１又は２以上のアクセスタイプを選択するステップと、
前記選択された１又は２以上のアクセスタイプに従って前記セルにアクセスするように前記装置に指示するステップと、
前記装置が、前記選択された１又は２以上のアクセスタイプと異なるアクセスタイプに従って前記セルにアクセスすることを禁止するステップと、
を行わせるように構成される、請求項１から５の何れかに記載の装置。
【請求項７】
前記少なくとも１つのプロセッサは、前記少なくとも１つのメモリ及び前記コンピュータプログラムコードを用いて、前記装置に、
前記装置のタイプに基づいて前記セルにアクセスすることを禁止するステップを行わせるように構成される、請求項１から６の何れかに記載の装置。
【請求項８】
前記セルでサポートされる１又は２以上の帯域幅部分の前記制限は、以下、すなわち、
アーリーデータ伝送に使用できるネットワーク帯域幅部分、
ＩＮＡＣＴＩＶＥモードでのデータ伝送に前記端末が使用できる帯域幅部分、
ＣＯＮＮＥＣＴＥＤモードでのデータ伝送に前記端末が使用できる帯域幅部分、
アクティブデータ転送に使用できる帯域幅部分、
制御プレーンメッセージ内にカプセル化されたデータを送るのに使用できる帯域幅部分、
超高信頼性低遅延通信伝送に使用できる帯域幅部分、
特定のＣＳＧの端末にのみ予約された帯域幅部分、
キャリアアグリゲーションのために使用できる帯域幅部分、
デュアル接続性のために使用できる帯域幅部分、及び
セル内のサポートされる帯域幅部分のセット、
のうちの少なくとも１つに関連する、請求項１から７の何れかに記載の装置。
【請求項９】
少なくとも１つのプロセッサと、コンピュータプログラムコードを含む少なくとも１つのメモリとを備える装置であって、前記少なくとも１つのプロセッサは、前記少なくとも１つのメモリ及び前記コンピュータプログラムコードを用いて、前記装置に、
基地局によって提供される１又は２以上の帯域幅部分の制限に関する情報を提供するように前記基地局に指示するステップを行わせるように構成され、
各帯域幅部分は、サブキャリア間隔に特有であることを特徴とする装置。
【請求項１０】
前記少なくとも１つのプロセッサは、前記少なくとも１つのメモリ及び前記コンピュータプログラムコードを用いて、前記装置に、
ブロードキャスト又は専用シグナリングを介して前記帯域幅部分の制限に関する前記情報を端末に提供するステップを行わせるように構成される、請求項９に記載の装置。
【請求項１１】
前記少なくとも１つのプロセッサは、前記少なくとも１つのメモリ及び前記コンピュータプログラムコードを用いて、前記装置に、
前記端末でサポートされる１又は２以上の帯域幅部分の各々に関するそれぞれの優先順位を示すように前記基地局に指示するステップを行わせせるように構成される、請求項９又は１０に記載の装置。
【請求項１２】
基地局から、前記基地局のセルでサポートされる１又は２以上の帯域幅部分の制限に関する情報を受け取るステップと、
前記セルでサポートされる１又は２以上の帯域幅部分の制限、及び前記端末でサポートされる１又は２以上の帯域幅部分の制限に基づいて、端末が前記セルにアクセスすることを禁止するステップと、
を含み、
各帯域幅部分は、サブキャリア間隔に特有である、方法。
【請求項１３】
前記セルでサポートされる１又は２以上の帯域幅部分の制限に関する前記情報をブロードキャストチャネル上で受け取ったか、又は前記端末への専用シグナリングで受け取ったかを監視するステップを含む、請求項１２に記載の方法。
【請求項１４】
前記セルでサポートされる１又は２以上の帯域幅部分の制限が前記端末でサポートされる１又は２以上の帯域幅部分の制限とマッチしない場合に、前記端末が前記セルにキャンプオンしないようにするステップを含む、請求項１２又は１３に記載の方法。
【請求項１５】
前記端末でサポートされる１又は２以上の帯域幅部分に関する優先順位に基づいて、前記端末が前記セルにアクセスすることを禁止するステップを含む、請求項１２から１４の何れかに記載の方法。
【請求項１６】
前記セルでサポートされる１又は２以上の帯域幅部分の制限、及び前記端末でサポートされる１又は２以上の帯域幅部分の制限に関する前記情報に基づいて、アクセスパラメータを選択するステップと、
前記選択されたアクセスパラメータを使用して、前記セルを再選択するか、前記セルにキャンプオンするように前記端末に指示するステップと、
を含む、請求項１２から１５の何れかに記載の方法。
【請求項１７】
前記セルでサポートされる１又は２以上の帯域幅部分の制限、及び前記端末でサポートされる１又は２以上の帯域幅部分の制限に関する前記情報に基づいて、１又は２以上のアクセスタイプを選択するステップと、
前記選択された１又は２以上のアクセスタイプに従って前記セルにアクセスするように前記端末に指示するステップと、
前記端末が、前記選択された１又は２以上のアクセスタイプと異なるアクセスタイプに従って前記セルにアクセスすることを禁止するステップと、
を含む、請求項１２から１６の何れかに記載の方法。
【請求項１８】
前記端末のタイプに基づいて、前記端末が前記セルにアクセスすることを禁止するステップを含む、請求項１２から１７の何れかに記載の方法。
【請求項１９】
前記セルでサポートされる１又は２以上の帯域幅部分の前記制限は、以下、すなわち、
アーリーデータ伝送に使用できるネットワーク帯域幅部分、
ＩＮＡＣＴＩＶＥモードでのデータ伝送に前記端末が使用できる帯域幅部分、
ＣＯＮＮＥＣＴＥＤモードでのデータ伝送に前記端末が使用できる帯域幅部分、
アクティブデータ転送に使用できる帯域幅部分、
制御プレーンメッセージ内にカプセル化されたデータを送るのに使用できる帯域幅部分、
超高信頼性低遅延通信伝送に使用できる帯域幅部分、
特定のＣＳＧの端末にのみ予約された帯域幅部分、
キャリアアグリゲーションのために使用できる帯域幅部分、
デュアル接続性のために使用できる帯域幅部分、及び
セル内のサポートされる帯域幅部分のセット、
のうちの少なくとも１つに関連する、請求項１２から１８の何れかに記載の方法。
【請求項２０】
基地局によって提供される１又は２以上の帯域幅部分の制限に関する情報を提供するように前記基地局に指示するステップを含み、
各帯域幅部分は、サブキャリア間隔に特有である、方法。
【請求項２１】
ブロードキャスト又は専用シグナリングを介して前記基地局でサポートされる１又は２以上の帯域幅部分の制限に関する前記情報を端末に提供するステップを含む、請求項２０に記載の方法。
【請求項２２】
前記端末でサポートされる１又は２以上の帯域幅部分の各々に関するそれぞれの優先順位を示すように前記基地局に指示するステップを含む、請求項２０又は２１に記載の方法。
【請求項２３】
命令のセットを含むコンピュータプログラム製品であって、前記命令は、装置上で実行された場合に、前記装置に、請求項１２から２２の何れかに記載の方法を実行させるように構成される、ことを特徴とするコンピュータプログラム製品。
【請求項２４】
コンピュータ可読媒体として具現化されるか、又はコンピュータに直接ロード可能である請求項２３に記載のコンピュータプログラム製品。
【国際調査報告】
2021503232.tif 000013
2021503232.tif 000014
2021503232.tif 000015
2021503232.tif 000016